(57)【特許請求の範囲】
【請求項１】
ベース部と、当該ベース部から立設した支持部と、当該支持部の先端側に設けた鈴本体部とを備えた鈴を有し、
前記鈴を所定の間隔を隔てて複数立設してあり、前記複数立設した鈴のうち少なくとも１つの鈴の支持部は可撓性線状であり、
前記可撓性線状の支持部が揺れることで前記鈴本体部同士が当たり、音が鳴るものであり、
打鈴部材を有し、
前記打鈴部材の周囲に前記鈴を複数配置してあることを特徴とする鈴装置。
【発明の詳細な説明】
【技術分野】
【０００１】
本発明は音が鳴る鈴（りん）装置に関する。
【背景技術】
【０００２】
従来から手で振り動かしたり、打鈴することで音が鳴る各種鈴が公知である。
しかし、いずれも１つの鈴が鳴るものである。
特許文献１には、複数の鈴を吊り下げたものを開示するが、単に複数の鈴を吊り下げただけのものである。
【先行技術文献】
【特許文献】
【０００３】
【特許文献１】特開２００４−７３８０４号公報
【発明の概要】
【発明が解決しようとする課題】
【０００４】
本発明は、鈴部が揺れ動くことでなる鳴る鈴装置の提供を目的とする。
【課題を解決するための手段】
【０００５】
本発明に係る鈴装置は、ベース部と、当該ベース部から立設した支持部と、当該支持部の先端側に設けた鈴本体部とを備えた鈴を有し、前記鈴を所定の間隔を隔てて複数立設してあり、前記複数立設した鈴のうち少なくとも１つの鈴の支持部は可撓性線状であり、前記可撓性線状支持部が揺れることで前記鈴本体部同士が当たり、音が鳴るものであることを特徴とする。
【０００６】
ここでベース部とは、先端側に鈴本体部を設けた支持部を下端側で支えるものをいう。
支持部が可撓性線状部材で形成されている鈴本体部は支持部に支持されながら左右、前後に揺れ動く。
よって、本発明において支持部は、可撓性があり、揺れに対して復元力が発生するものであれば材質に制限はない。
例えば、ピアノ線のようなワイヤー状の線材で形成してもよく、棒状の細長い樹脂材であってもよい。
また、スプリングとして作用する弾性線材でもよい。
【０００７】
これらの鈴は、ベース部の間隔を自由に選定しながら複数の鈴を立設することができ、鈴本体部が可撓性線状の支持部の揺れに伴って、左右、前後方向に揺れると、となりに位置する鈴本体部に当たり、相互に音が鳴ることになる。
【０００８】
本発明で、鈴本体部の構造や形状に制限はなく、上部が開口したグラス状や略お椀形状、下部が開口した釣鐘形状、薄いプレート状の短冊形状、パイプ形状、開口部を対向させて二つのお椀を上下に配設した略球形状等、打たいて音が鳴るものであれば、その構造に制限はない。
【０００９】
本発明において、打鈴部材を有し、前記打鈴部材の周囲に前記鈴を複数配置してあってもよい。
【００１０】
上記のように、それぞれベース部ごとに支持部を介して鈴本体部を設けると、立設する鈴の数や距離を自由に配置できる。
これに対して、ベース部と、当該ベース部から複数の支持部を有し、前記複数の支持部の先端側にそれぞれ鈴本体部を有し、前記複数の支持部の少なくとも１つが可撓性線状の支持部であり、当該可撓性線状支持部が揺れることで前記鈴本体部同士が当たり、音が鳴るものであってもよい。
【００１１】
本発明において、前記可撓性線状支持部は異なる曲げ強さからなる支持部の組み合せてあるようにすると、それぞれの鈴の揺れ方に差を設けることで、となり合う鈴がぶつかりやすい方向を制御することができる。
また、前記鈴本体部の揺れを促す作用体を有するようにしてもよい。
このようにすると、作用体を軽く手で触れたり、風が当たると容易に鈴本体部が揺れる。
【発明の効果】
【００１２】
本発明に係る鈴装置は、可撓性のある線状の支持部にて鈴本体部を複数立設又は、打鈴部材とともに鈴本体部を立設したので、支持部の揺れにてこれらがぶつかり合うことで音が鳴り、いろいろな音色を楽しむことができる。
【図面の簡単な説明】
【００１３】
【図１】本発明に係る鈴装置の実施例として３つの鈴を平面視で略三角形状に立設した例を示す。
【図２】４つの鈴を立設した例を示す。
【図３】３つの鈴の中央部に棒状の打鈴部材を配置した例を示す。
【図４】半球状のりんを対向させた鈴本体部にした例を示す。
【図５】（ａ）〜（ｃ）はベース部に複数の支持部を刺し、鈴本体部を複数設けた例を示す。
【図６】複数の鈴本体部を１つの支持部にて吊り下げるように配置した鈴装置の例を示す。
【発明を実施するための形態】
【００１４】
本発明に係る鈴装置の構造例を以下、図面に基づいて説明するが、本発明は本実施例に限定されない。
【００１５】
本発明に係る鈴装置は、図１に示すように複数の鈴１０を所定の間隔を隔てて立設したものである。
鈴１０はベース部１１と、このベース部から立設した支持部１２と、この支持部１２の上端部に連結した鈴本体部１３を有する。
ベース部１１は鈴本体部１３を、支持部１２を介してスタンド型に立設させるためのものであり形状等に制限はない。
複数の鈴のうち少なくとも１つの支持部１２は鈴本体部１３が左右、前後に揺れるように可撓性のある線材にて製作されている。
例えばピアノ線、ステンレス線等の弾性を有する線材や、復元力がある樹脂製の線材であってもよい。
鈴本体部１３は、打つと共鳴音が鳴るものであり、その形状や材質に制限がない。
図１に示した例は、上部が開口したグラス状に形成した例である。
材質は黄銅、青銅、鉄等の金属製でもよく、またガラス製でもよい。
図１は、３つの鈴１０を平面視（ａ）にて略三角形になるように配置し、立設した例である。
鈴１０を軽く揺らすと、相互にぶつかり合うことで音が鳴る。
それぞれの鈴１０は、ベース部１１にてスタンド型に自立しているので複数の鈴１０を平面視で色々な形状に配置でき、間隔も自由に設定できる。
【００１６】
図２は、鈴本体部１３ａを釣鐘形状にし、４つの鈴を立設した例である。
また、平面視（ａ）にて中央に位置する鈴の鈴本体部２３はベース部２１から他の支持部１２よりも太くした強い支持部２２にした例である。
これにより中央部の鈴本体部２３の揺れに対して、周囲に配置した鈴本体部１３の方が揺れやすく鳴っている。
【００１７】
図３は、鈴本体部１３を支持する支持部１２ａがしなりやすいように、スプリング状に曲げ加工した例になっている、
また、中央部には金属製の棒状の打鈴部材３２をベース部３１を用いて自立させた例となっている。
【００１８】
図４（ａ），（ｂ）は、鈴本体部１３ｂを内部が凹部になった半球形状のりん部１１３，２１３とを中央部の連結部３１３にて連結した略球形状にした例である。
【００１９】
図５は、１つのベース部１１ａの上部にメッシュやスポンジ状の刺し込み部を形成し、支持部１２の下端部を自由に刺し込み配置できるようにした例である。
（ａ）は短冊状の鈴本体部１３ｃにした例であり、（ｂ），（ｃ）は鈴本体部１３ｂの上部に羽根１４，葉１４ａ，花１４ｂ，１４ｃのような面積の広い作用体を取り付け、差し込み等ができるようにした例である。
これらの作用体を軽く手で触れることで音が鳴り、また風に当たることでも音がなる。
【００２０】
図６は、支持部１２ｂの上端部を複数の枝部１１２ｂに分け、その先にひも２１２ｂ等でティンシャ１３ｄを吊り下げた例となっている。
【符号の説明】
【００２１】
１１        ベース部
１２        支持部
１３        鈴本体部
３２        打鈴部材
【図１】
0006653868.tif 000002
【図２】
0006653868.tif 000003
【図３】
0006653868.tif 000004
【図４】
0006653868.tif 000005
【図５】
0006653868.tif 000006
【図６】
0006653868.tif 000007